【手続補正書】
【提出日】平成24年3月19日(2012.3.19)
【手続補正１】
【補正対象書類名】特許請求の範囲
【補正対象項目名】全文
【補正方法】変更
【補正の内容】
【特許請求の範囲】
【請求項１】
未塗装シートメタルストックと、
着色剤及び熱硬化ポリマー材料を含む、不透明又は半透明な色層であって、前記熱硬化ポリマー材料はポリウレタンを含み、ポリウレタンが伸張可能であり、かつ３０〜７０重量％の量でハードセグメントを有し、該色層は、前記未塗装シートメタルストックに接触して恒久的に接着されている第１主表面を有し、前記色層はその第１主表面の反対側に第２主表面を有し、前記色層は実質的に溶媒を含まない色層と、を含む塗装フィルム複合体。
【請求項２】
未塗装シートメタルと、
着色剤及び熱硬化ポリマー材料を含む、不透明又は半透明な色層であって、前記熱硬化ポリマー材料はポリウレタンを含み、ポリウレタンが伸張可能であり、かつ３０〜７０重量％の量でハードセグメントを有し、該色層は、前記未塗装シートメタルに接触して恒久的に接着されている第１主表面を有し、前記色層はその第１主表面の反対側に第２主表面を有し、前記色層の前記第１主表面及び前記第２主表面の各々は、第１及び第２の個別に対応する形成ウェブの主表面の実質的に反転したイメージである、色層と、を含む塗装フィルム複合体。
【請求項３】
未塗装シートメタルと、
接着剤層と、
前記接着剤層により前記未塗装シートメタルに恒久的に接着されている不透明又は半透明な色層であって、該色層は着色剤及び熱硬化ポリマー材料を含み、前記熱硬化ポリマー材料はポリウレタンを含み、ポリウレタンが伸張可能であり、かつ３０〜７０重量％の量でハードセグメントを有し、前記色層は、前記接着剤層に接触する第１主表面を有し、前記色層はその第１主表面の反対側に第２主表面を有し、前記色層は実質的に溶媒を含まない、色層と、を含む塗装フィルム複合体。
【請求項４】
未塗装シートメタルと、
接着剤層と、
前記接着剤層により前記未塗装シートメタルに恒久的に接着されている不透明又は半透明な色層であって、該色層は着色剤及び熱硬化ポリマー材料を含み、前記熱硬化ポリマー材料はポリウレタンを含み、ポリウレタンが伸張可能であり、かつ３０〜７０重量％の量でハードセグメントを有し、前記色層は、前記接着剤層に接触する第１主表面を有し、前記色層はその第１主表面の反対側に第２主表面を有し、前記色層の前記第１主表面及び前記第２主表面の各々は、第１及び第２の個別に対応する形成ウェブの主表面の実質的に反転したイメージである、色層と、を含む、塗装フィルム複合体。
【請求項５】
未塗装シートメタルと、
着色剤とポリマー材料とを含む不透明又は半透明な色層であって、前記ポリマー材料はポリウレタンを含み、ポリウレタンが伸張可能であり、かつ３０〜７０重量％の量でハードセグメントを有し、該色層は、前記未塗装シートメタルに接触して恒久的に接着されている第１主表面を有し、前記色層はその第１主表面の反対側に第２主表面を有し、前記色層は実質的に等方性であり、本質的に溶媒を含まない、色層と、を含む塗装フィルム複合体。
【請求項６】
未塗装シートメタルと、
接着剤層と、
前記接着剤層により前記未塗装シートメタルに恒久的に接着されている不透明又は半透明な色層であって、該色層は着色剤及びポリマー材料を含み、前記ポリマー材料はポリウレタンを含み、ポリウレタンが伸張可能であり、かつ３０〜７０重量％の量でハードセグメントを有し、前記色層は、前記接着剤層に接触する第１主表面を有し、前記色層はその第１主表面の反対側に第２主表面を有し、前記色層は実質的に等方性であり、実質的に溶媒を含まない、色層と、を含む塗装フィルム複合体。
【請求項７】
未塗装シートメタルと、
前記未塗装シートメタルに接触して恒久的に接着されている第１主表面を有する不透明又は半透明な色層であって、該色層はその第１主表面の反対側に第２主表面を有し、前記色層は着色剤及び第１ポリマー材料を含む、色層と、
前記色層の前記第２主表面に接触して恒久的に接着されている第１主表面を有する透明な保護層であって、該透明な保護層はその第１主表面の反対側に第２主表面を有し、前記透明な保護層は熱硬化第２ポリマー材料を含み、前記熱硬化第２ポリマー材料はポリウレタンを含み、ポリウレタンが伸張可能であり、かつ３０〜７０重量％の量でハードセグメントを有し、前記透明な保護層は実質的に溶媒を含まない、透明な保護層と、を含む塗装フィルム複合体。
【請求項８】
未塗装シートメタルと、
前記未塗装シートメタルに接触して恒久的に接着されている色層であって、該色層は、前記未形成シートメタルに接触する第１主表面を有し、前記色層は前記第１主表面の反対側に第２主表面を有し、前記色層は不透明又は半透明で着色剤及び第１ポリマー材料を含む、色層と、
前記色層の前記第２主表面に接触して恒久的に接着されている第１主表面を有する透明な保護層であって、該透明な保護層はその第１主表面の反対側に第２主表面を有し、前記透明な保護層は熱硬化第２ポリマー材料を含み、前記熱硬化第２ポリマー材料はポリウレタンを含み、ポリウレタンが伸張可能であり、かつ３０〜７０重量％の量でハードセグメントを有し、前記透明な保護層の前記第１主表面及び前記透明な保護層の前記第２主表面の各々は、第１及び第２の個別に対応する形成ウェブの主表面の実質的に反転したイメージである、透明な保護層と、を含む塗装フィルム複合体。
【請求項９】
未塗装シートメタルと、
接着剤層と、
前記接着剤層により前記未塗装シートメタルに恒久的に接着されている不透明又は半透明な色層であって、該色層は、前記接着剤層に接触する第１主表面を有し、前記色層はその第１主表面の反対側に第２主表面を有し、前記色層は着色剤及び第１ポリマー材料を含む、色層と、
前記色層の前記第２主表面に接触して恒久的に接着されている第１主表面を有する透明な保護層であって、該透明な保護層はその第１主表面の反対側に第２主表面を有し、前記透明な保護層は熱硬化第２ポリマー材料を含み、前記熱硬化第２ポリマー材料はポリウレタンを含み、ポリウレタンが伸張可能であり、かつ３０〜７０重量％の量でハードセグメントを有し、前記透明な保護層は実質的に溶媒を含まない、透明な保護層と、を含む塗装フィルム複合体。
【請求項１０】
未塗装シートメタルと、
接着剤層と、
前記接着剤層により前記未塗装シートメタルに恒久的に接着されている不透明又は半透明な色層であって、該色層は、前記接着剤層に接触する第１主表面を有し、前記色層はその第１主表面の反対側に第２主表面を有し、前記色層は着色剤及び第１ポリマー材料を含む、色層と、
前記色層の前記第２主表面に接触して恒久的に接着されている第１主表面を有する透明な保護層であって、該透明な保護層はその第１主表面の反対側に第２主表面を有し、前記透明な保護層は熱硬化第２ポリマー材料を含み、前記熱硬化第２ポリマー材料はポリウレタンを含み、ポリウレタンが伸張可能であり、かつ３０〜７０重量％の量でハードセグメントを有し、前記透明な保護層の前記第１主表面及び前記透明な保護層の前記第２主表面の各々は、第１及び第２の個別に対応する形成ウェブの主表面の実質的に反転したイメージである、透明な保護層と、を含む塗装フィルム複合体。
【請求項１１】
未塗装シートメタルと、
前記未塗装シートメタルに接触して恒久的に接着されている不透明又は半透明な色層であって、該色層は前記未塗装シートメタルに接触する第１主表面を有し、前記色層はその第１主表面の反対側に第２主表面を有し、前記色層は着色剤及び第１ポリマー材料を含む、色層と、
前記色層の前記第２主表面に接触して恒久的に接着されている第１主表面を有する透明な保護層であって、該透明な保護層はその第１主表面の反対側に第２主表面を有し、前記透明な保護層は第２ポリマー材料を含み、前記第２ポリマー材料はポリウレタンを含み、ポリウレタンが伸張可能であり、かつ３０〜７０重量％の量でハードセグメントを有し、前記透明な保護層は実質的に等方性であり、実質的に溶媒を含まない、透明な保護層、を含む、塗装フィルム複合体。
【請求項１２】
未塗装シートメタルと、
接着剤層と、
前記接着剤層により前記未塗装シートメタルに恒久的に接着されている不透明又は半透明な色層であって、該色層は、前記接着剤層に接触する第１主表面を有し、前記色層はその第１主表面の反対側に第２主表面を有し、前記色層は着色剤及び第１ポリマー材料を含む、色層と、
前記色層の前記第２主表面に接触して恒久的に接着されている第１主表面を有する透明な保護層であって、該透明な保護層はその第１主表面の反対側に第２主表面を有し、前記透明な保護層は第２ポリマー材料を含み、前記第２ポリマー材料はポリウレタンを含み、ポリウレタンが伸張可能であり、かつ３０〜７０重量％の量でハードセグメントを有し、前記透明な保護層は実質的に等方性であり、実質的に溶媒を含まない、透明な保護層と、を含む塗装フィルム複合体。
【請求項１３】
塗料フィルム複合体を製造する方法であって、
着色剤及び硬化性ポリマー材料前駆体を含む硬化性組成物を未塗装シートメタル及び形成ウェブの主表面に接触させて、前記未塗装シートメタルと前記形成ウェブとの間に少なくとも部分的に配置されている前記硬化性組成物の回転バンクを形成することと、
前記未塗装シートメタル、前記形成ウェブ、及び前記硬化性組成物の各々の少なくとも一部を、前記未塗装シートメタルと前記形成ウェブとの間に前記硬化性組成物の前記少なくとも一部を挟みながら、ニップの中に通して、硬化性層前駆体を提供することと、
前記硬化性層前駆体を少なくとも部分的に硬化して、前記着色剤及び、伸張可能であり、かつ３０〜７０重量％の量でハードセグメントを有するポリウレタンを含むポリマー材料を含む不透明又は半透明な色層を提供することと、を含む方法。
【請求項１４】
塗料フィルム複合体を製造する方法であって、
着色剤及び硬化性ポリマー材料前駆体を含む硬化性組成物を第１形成ウェブ及び第２形成ウェブに接触させて、前記第１形成ウェブと前記第２形成ウェブとの間に少なくとも部分的に配置されている前記硬化性組成物の回転バンクを形成することと、
前記第１形成ウェブ及び前記第２形成ウェブ及び前記硬化性組成物の各々の少なくとも一部を、前記剥離可能な第１形成ウェブと前記剥離可能な第２形成ウェブとの間に前記硬化性組成物の前記少なくとも一部を挟みながら、ニップの中に通して、硬化性層前駆体を提供することと、
前記硬化性層前駆体を少なくとも部分的に硬化して、前記着色剤及び、伸張可能であり、かつ３０〜７０重量％の量でハードセグメントを有するポリウレタンを含むポリマー材料を含む不透明又は半透明な色層を提供することと、
前記色層から前記第１形成ウェブを引き離すことと、
接着剤で前記色層を未塗装シートメタルに恒久的に接着することと、を含む方法。
【請求項１５】
塗料フィルム複合体を製造する方法であって、
着色剤及び第１ポリマー材料を含む不透明又は半透明な色層がその上に配置されているシートメタルを提供することと、
硬化性ポリマー材料前駆体を含む硬化性組成物を前記色層及び形成ウェブに接触させて、前記色層と前記形成ウェブとの間に少なくとも部分的に配置されている前記硬化性組成物の回転バンクを形成することと、
前記シートメタル、前記色層、前記形成ウェブ及び前記硬化性組成物の各々の少なくとも一部を、前記色層と前記形成ウェブとの間に前記硬化性組成物の前記少なくとも一部を挟みながら、ニップの中に通して、硬化性層前駆体を提供することと、
前記硬化性層前駆体を少なくとも部分的に硬化して、第２ポリマー材料を含む透明な保護層を提供することと、を含み、前記第１ポリマー材料及び前記第２ポリマー材料のうちの少なくとも１つはポリウレタンを含み、ポリウレタンが伸張可能であり、かつ３０〜７０重量％の量でハードセグメントを有する、方法。
【請求項１６】
塗料フィルム複合体を製造する方法であって、
着色剤及び第１ポリマー材料を含む不透明又は半透明な色層がその上に配置されている第１形成ウェブを提供することと、
硬化性ポリマー材料前駆体を含む硬化性組成物を前記色層及び第２形成ウェブに接触させて、前記色層と前記第２形成ウェブとの間に配置されている前記硬化性組成物の回転バンクを形成することと、
前記第１及び第２形成ウェブ、前記色層及び前記硬化性組成物の各々の少なくとも一部を、前記色層と剥離可能な保護ライナーとの間に前記硬化性組成物の前記少なくとも一部を挟みながら、ニップの中に通して、硬化性層前駆体を提供することと、
前記硬化性層前駆体を少なくとも部分的に硬化して、第２ポリマー材料を含む透明な保護層を提供することと、
前記色層から前記第１形成ウェブを引き離すことと、
接着剤で前記色層を未塗装シートメタルに恒久的に接着することと、を含み、前記第１ポリマー材料及び前記第２ポリマー材料のうちの少なくとも１つはポリウレタンを含み、ポリウレタンが伸張可能であり、かつ３０〜７０重量％の量でハードセグメントを有する、方法。